(57)【要約】【課題】従来の装置では、ユーザは、表示中のメニュー項目がメニュー項目群のどこに位置しているかを容易に把握できなかった。【解決手段】電子機器は、階層構造を有する項目群における階層間の移動の操作情報を受け付ける受付部と、操作情報に基づいて、項目群の中から１つの対象階層に属する複数の項目を表示部に表示させるとともに、複数の項目のうち少なくとも１つの対象項目に対して対象階層から移動し得る最も下位の階層までの階層数を示す第１表示と、対象階層から最も上位の階層までの階層数を示す第２表示とを対象項目の表示に関連付けて表示部に表示させる表示制御部とを備える。【選択図】図５
2012256237.tif 000002
【特許請求の範囲】
【請求項１】
階層構造を有する項目群における階層間の移動の操作情報を受け付ける受付部と、
前記操作情報に基づいて、前記項目群の中から１つの対象階層に属する複数の項目を表示部に表示させるとともに、前記複数の項目のうち少なくとも１つの対象項目に対して前記対象階層から移動し得る最も下位の階層までの階層数を示す第１表示と、前記対象階層から最も上位の階層までの階層数を示す第２表示とを前記対象項目の表示に関連付けて前記表示部に表示させる表示制御部と
を備える電子機器。
【請求項２】
前記受付部は、ユーザが前記階層間の移動を入力するための操作部から前記操作情報を受け付け、
前記表示制御部は、前記対象項目の表示を基準として、下位の階層へ移動させる前記操作部の第１操作方向に対応して前記第１表示を、上位の階層へ移動させる前記操作部の第２操作方向に対応して前記第２表示を、前記表示部に表示させる請求項１に記載の電子機器。
【請求項３】
前記表示制御部は、前記操作部の操作に応じて前記階層間の移動を実行する場合の前記第１表示および前記第２表示の形態と、前記操作部の操作に応じて前記階層間の移動と異なる処理を実行する場合の前記第１表示および前記第２表示の形態とを異ならせる請求項２に記載の電子機器。
【請求項４】
前記表示制御部は、前記最も上位の階層において、前記操作部の前記第２操作方向への操作に応じて前記項目群と異なる項目群を選択する処理へ移行することを示す移行表示を、前記第２表示の代わりに前記表示部に表示させる請求項２または３に記載の電子機器。
【請求項５】
前記表示制御部は、前記操作部の形態に対応した表示形態で、前記第１表示および前記第２表示を前記表示部に表示させる請求項２から４のいずれか１項に記載の電子機器。
【請求項６】
前記表示制御部は、前記複数の項目からカーソルで選択された項目を前記対象項目として設定する請求項１から５のいずれか１項に記載の電子機器。
【請求項７】
前記表示部を備える請求項１から６のいずれか１項に記載の電子機器。
【請求項８】
前記表示部はタッチパネルを備え、
前記表示制御部は、前記第１表示の表示位置における前記タッチパネルへの操作を当該対象階層から１つ下位の階層へ移動させる操作と判断し、前記第２表示の表示位置における前記タッチパネルへの操作を当該対象階層から１つ上位の階層へ移動させる操作と判断する請求項７に記載の電子機器。
【請求項９】
前記受付部は、前記対象階層に属する予め定められた順序で開始項目から最終項目まで並べられた複数の項目における項目間の移動の操作情報を受け付け、
前記表示制御部は、前記操作情報に基づいて、当該項目を基準とした前記開始項目の位置を示す第３表示と、当該項目を基準とした前記最終項目の位置を示す第４表示とを前記複数の項目の表示に関連付けて前記表示部に表示させる請求項１から６のいずれか１項に記載の電子機器。
【請求項１０】
前記受付部は、ユーザが前記項目間の移動を入力するための操作部から前記操作情報を受け付け、
前記表示制御部は、前記複数の項目の表示を基準として、前記開始項目の方向へ移動させる前記操作部の第３操作方向に対応して前記第３表示を、前記最終項目の方向へ移動させる前記操作部の第４操作方向に対応して前記第４表示を前記表示部に表示させる請求項９に記載の電子機器。
【請求項１１】
前記表示部を備える請求項９または１０に記載の電子機器。
【請求項１２】
前記表示部はタッチパネルを備え、
前記表示制御部は、前記第３表示の表示位置における前記タッチパネルへの操作を表示中の当該項目より前記開始項目の側にある１以上の項目を表示させる操作と判断し、前記第４表示の位置における前記タッチパネルへの操作を表示中の当該項目より前記最終項目の側にある１以上の項目を表示させる操作と判断する請求項１１に記載の電子機器。
【請求項１３】
前記表示制御部は、前記第１表示の表示位置における前記タッチパネルへの操作を当該対象階層から１つ下位の階層へ移動させる操作と判断し、前記第２表示の表示位置における前記タッチパネルへの操作を当該対象階層から１つ上位の階層へ移動させる操作と判断する請求項１２に記載の電子機器。
【請求項１４】
開始項目から最終項目まで予め定められた順序で並べられた項目群における項目間の移動の操作情報を受け付ける受付部と、
前記操作情報に基づいて、前記項目群の中から複数の項目を表示部に表示させるとともに、当該項目を基準とした前記開始項目の位置を示す第１表示と、当該項目を基準とした前記最終項目の位置を示す第２表示とを前記複数の項目の表示に関連付けて前記表示部に表示させる表示制御部と
を備える電子機器。
【請求項１５】
前記受付部は、ユーザが前記項目間の移動を入力するための操作部から前記操作情報を受け付け、
前記表示制御部は、当該項目の表示を基準として、前記開始項目の方向へ移動させる前記操作部の第１操作方向に対応して前記第１表示を、前記最終項目の方向へ移動させる前記操作部の第２操作方向に対応して前記第２表示を前記表示部に表示させる請求項１４に記載の電子機器。
【請求項１６】
前記表示制御部は、
前記複数の項目のうちの前記開始項目に最も近い項目から前記開始項目までの項目数を示す表示を前記第１表示として前記表示部に表示させ、
前記複数の項目のうちの前記最終項目に最も近い項目から前記最終項目までの項目数を示す表示を前記第２表示として前記表示部に表示させる請求項１４または１５に記載の電子機器。
【請求項１７】
前記項目群は、ページ単位に区分されており、
前記表示制御部は、ページ単位で前記項目群の中から前記複数の項目を前記表示部に表示させ、
前記複数の項目のページから前記開始項目を含むページまでのページ数を示す表示を前記第１表示として前記表示部に表示させ、
前記複数の項目のページから前記最終項目を含むページまでのページ数を示す表示を前記第２表示として前記表示部に表示させる請求項１４または１５に記載の電子機器。
【請求項１８】
前記表示制御部は、前記複数の項目に前記最終項目が含まれている場合に、最終である旨を示す表示を前記第２表示として前記表示部に表示させる請求項１４から１７のいずれか１項に記載の電子機器。
【請求項１９】
前記表示制御部は、前記最終である旨を示す表示が前記表示部に表示されている状態で前記最終項目の次の項目を選択する操作情報を前記受付部により受け付けた場合に、前記開始項目を含む複数の項目を前記表示部に表示させる請求項１８に記載の電子機器。
【請求項２０】
前記表示部を備える請求項１４から１９のいずれか１項に記載の電子機器。
【請求項２１】
前記表示部はタッチパネルを備え、
前記表示制御部は、前記第１表示の表示位置における前記タッチパネルへの操作を表示中の当該項目より前記開始項目の側にある１以上の項目を表示させる操作と判断し、前記第２表示の表示位置における前記タッチパネルへの操作を表示中の当該項目より前記最終項目の側にある１以上の項目を表示させる操作と判断する請求項２０に記載の電子機器。
【請求項２２】
階層構造を有する項目群における階層間の移動の操作情報を受け付けるステップと、
前記操作情報に基づいて、前記項目群の中から１つの対象階層に属する複数の項目を表示部に表示させるとともに、前記複数の項目のうち少なくとも１つの対象項目に対して前記対象階層から移動し得る最も下位の階層までの階層数を示す第１表示と、前記対象階層から最も上位の階層までの階層数を示す第２表示とを前記対象項目の表示に関連付けて前記表示部に表示させるステップと
をコンピュータに実行させる電子機器の制御プログラム。
【請求項２３】
開始項目から最終項目まで予め定められた順序で並べられた項目群における項目間の移動の操作情報を受け付ける受付ステップと、
前記操作情報に基づいて、前記項目群の中から複数の項目を表示部に表示させるとともに、前記複数の項目を基準とした前記開始項目の位置を示す第１表示と、前記複数の項目を基準とした前記最終項目の位置を示す第２表示とを前記複数の項目の表示に関連付けて前記表示部に表示させるステップと
をコンピュータに実行させる電子機器の制御プログラム。
【発明の詳細な説明】
【技術分野】
【０００１】
本発明は、電子機器および電子機器の制御プログラムに関する。
【背景技術】
【０００２】
近年、デジタルカメラ、携帯電話等の電子機器に複雑な機能が搭載されるに従って、ユーザが設定すべきメニュー項目の数が膨大となっている。そのため、電子機器のメニュー項目群は、種類に応じて複数に分類され、さらにそれぞれの分類の中でツリー構造状に階層化されている。
［先行技術文献］
［特許文献］
［特許文献１］特開２００２−１８９５５２号公報
【発明の概要】
【発明が解決しようとする課題】
【０００３】
しかしながら、従来の装置では、ユーザは、表示中のメニュー項目がメニュー項目群のどこに位置しているかを容易に把握できなかった。
【課題を解決するための手段】
【０００４】
本発明の第１の態様における電子機器は、階層構造を有する項目群における階層間の移動の操作情報を受け付ける受付部と、操作情報に基づいて、項目群の中から１つの対象階層に属する複数の項目を表示部に表示させるとともに、複数の項目のうち少なくとも１つの対象項目に対して対象階層から移動し得る最も下位の階層までの階層数を示す第１表示と、対象階層から最も上位の階層までの階層数を示す第２表示とを対象項目の表示に関連付けて表示部に表示させる表示制御部とを備える。
【０００５】
本発明の第２の態様における電子機器は、開始項目から最終項目まで予め定められた順序で並べられた項目群における項目間の移動の操作情報を受け付ける受付部と、操作情報に基づいて、項目群の中から複数の項目を表示部に表示させるとともに、複数の項目を基準とした開始項目の位置を示す第１表示と、複数の項目を基準とした最終項目の位置を示す第２表示とを複数の項目の表示に関連付けて表示部に表示させる表示制御部とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】カメラシステムの要部断面図である。
【図２】カメラシステムの背面概観図である。
【図３】カメラシステムのブロック図である。
【図４】階層構造を有するメニュー項目群を説明する図である。
【図５】メニュー画面の表示例を説明する図である。
【図６】項目間移動におけるメニュー画面の表示例を説明する図である。
【図７】階層間移動におけるメニュー画面の表示例を説明する図である。
【図８】メニュー画面の他の表示例を示す図である。
【図９】メニュー画面の表示処理を示すフロー図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るカメラシステム１の要部断面図である。本実施形態では、電子機器の一例として、カメラシステム１について説明する。カメラシステム１は、カメラ本体２と交換可能な撮影レンズ３を組み合わせて撮像装置として機能する、レンズ交換式一眼レフカメラである。
【００１０】
撮影レンズ３は、フォーカスレンズ、ズームレンズおよび防振レンズを含むレンズ群４、絞り５、カメラシステム１の振れを検出する角速度センサ６、レンズ群４を駆動する不図示の駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。また、撮影レンズ３は、撮影レンズ３の全体を制御すると共に、カメラ本体２と協働するレンズＣＰＵ７を有する。
【００１１】
カメラ本体２は、撮影レンズ３からの光束を反射してファインダー光学系１１に導く反射位置と、撮影レンズ３からの光束がＣＣＤ、ＣＭＯＳ等から構成される撮像素子１２に入射するように退避する退避位置とで揺動するメインミラー１３を備える。メインミラー１３の一部の領域は半透過領域となっており、カメラ本体２は、この半透過領域を透過した光束を焦点検出センサ１４へ反射するサブミラー１５を備える。サブミラー１５は、メインミラー１３に連動して揺動し、メインミラー１３が退避位置をとるときには、サブミラー１５も光束から退避する。なお、焦点検出センサ１４は、位相差方式により入射する光束の焦点状態を検出する。
【００１２】
反射位置にあるメインミラー１３で反射された光束は、焦点板１６、ペンタプリズム１７を介してファインダー光学系１１へ導かれる。ファインダー光学系１１は、複数のレンズから構成されており、ユーザはファインダー光学系１１により被写界を確認することができる。
【００１３】
ペンタプリズム１７を透過する光束の一部は測光センサ１８に導かれる。測光センサ１８は、撮影レンズ３へ入射する光束を複数の領域ごとに測光することにより、被写界の輝度分布を計測する。さらに、カメラ本体２は、撮影レンズ３のマウント部近傍で撮影レンズ３と干渉しない位置に、被写界の音を取り込むマイク３１と、ファインダー光学系１１の近傍にスピーカ３２を備える。
【００１４】
メインミラー１３が退避位置にあるときには、撮影レンズ３からの光束は、ローパスフィルタ１９を介して撮像素子１２に入射する。撮像素子１２の近傍には基板２０が設けられており、基板２０の後方には外部に面して背面モニタ３３が設けられている。
【００１５】
図２は、カメラシステム１の背面概観図である。特に、背面モニタ３３にメニュー画面が表示されている様子を示す。図示するように、背面モニタ３３の近傍には、十字スイッチを有する操作スイッチ３４が設けられている。ユーザは操作スイッチ３４を操作して、メニュー画面上のカーソルを上下左右に移動させて特定のメニュー項目を選択する。操作スイッチ３４の中央には決定ボタンが設けられている。ユーザは決定ボタンを押下げることにより、カーソルで選択したメニュー項目の実行を指示する。
【００１６】
図３は、本実施形態に係るカメラシステム１のブロック図である。基板２０は、カメラ本体ＣＰＵ２１、撮像素子１２を駆動する駆動回路２２、撮像素子１２の出力をデジタル信号に変換するＡ／Ｄ変換回路２３、ＡＳＩＣで構成される画像処理制御回路２４、撮像素子１２からの信号の高周波成分を抽出するコントラストＡＦ回路２５、表示制御回路２６、などを有している。カメラ本体ＣＰＵ２１はカメラシステム１の全体を制御する。
【００１７】
画像処理制御回路２４は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。生成された画像ファイルは、画像記録媒体４１に記憶される。画像記録媒体４１は、カメラ本体２に対して着脱可能なフラッシュメモリなどの記録媒体であっても良いし、カメラ本体２に内蔵されるＳＳＤ（Ｓｏｌｉｄ  Ｓｔａｔｅ  Ｄｒｉｖｅ）などの記録媒体であっても良い。
【００１８】
画像処理を施された画像信号は、表示制御回路２６の制御により、背面モニタ３３に表示される。撮影直後に撮影された画像信号を所定時間表示すれば、画像記録媒体４１に記録された画像ファイルに対応する画像をユーザに視認させるレックレビュー表示を実現できる。また、撮像素子１２が連続的に光電変換する被写界像を、画像記録媒体４１に記録することなく背面モニタ３３に逐次表示すればライブビュー表示を実現できる。さらに、撮像素子１２が連続的に光電変換する被写界像を、例えばＭＰＥＧ、Ｈ．２６４などの動画圧縮処理を画像処理制御回路２４で施して画像記録媒体４１に記録すれば、動画撮影を実現することができる。このとき、マイク３１で収集した被写界の音声も圧縮処理して、動画データに同期させて記録する。生成される動画像のフレームレートは、例えば３０ｆｐｓなど、複数のフレームレートから選択されて設定される。
【００１９】
コントラストＡＦ回路２５は、撮像素子１２からの撮像信号の高周波成分を抽出してＡＦ評価値信号を生成し、これが最大になるフォーカスレンズ位置を検出する。具体的には、画像処理制御回路２４から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ２１に出力する。
【００２０】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子１２に駆動機構を付与して、光軸方向とは異なる方向に駆動して手振れをキャンセルする撮像素子駆動式手振れ補正を採用することもできる。さらには、画像処理制御回路２４から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００２１】
測光センサ１８は、上述のように、撮影レンズ３へ入射する光束を複数の領域ごとに測光することにより被写界の輝度分布を計測するが、計測結果はカメラ本体ＣＰＵ２１に出力する。カメラ本体ＣＰＵ２１では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００２２】
フラッシュＲＯＭ４２は、ＥＥＰＲＯＭ（登録商標）であり、カメラシステム１を動作させるプログラムのほか、各種調整値、設定値を記憶する記憶装置である。具体的には、ＡＦ調整データ、ＡＥ調整データ、製造時の年月日時間データ、設定ＳＷの設定履歴などを記憶している。特に、ユーザが設定する各種設定値は、カメラシステム１のメニュー項目として、種類に応じて複数に分類され、さらにそれぞれの分類の中でツリー構造状に階層化されて管理されている。また、フラッシュＲＯＭ４２は、メニュー画面の所定回数分の使用履歴を記憶している。
【００２３】
ＲＡＭ４３は、フラッシュＲＯＭ４２に記憶されたプログラムが展開され、カメラ本体ＣＰＵ２１が高速にアクセスできるＤＲＡＭなどの高速ＲＡＭである。特に頻繁に参照される各種調整値、設定値などもフラッシュＲＯＭ４２からコピーされ、カメラ本体ＣＰＵ２１からのアクセスを容易にする。表示制御回路２６は、上述のように画像処理された画像の他、フラッシュＲＯＭ４２から読み出したメニュー画面を背面モニタ３３へ表示する表示制御を行う。
【００２４】
傾斜センサ４４は、カメラシステム１の傾きを検知する。傾斜センサ４４は、加速度センサ、角速度センサ等で構成され、少なくともカメラシステム１の前後方向の傾きであるピッチ角を検知する。傾斜センサ４４は検出結果をカメラ本体ＣＰＵ２１に出力する。
【００２５】
レリーズＳＷ４５は、２段式のスイッチである。ユーザがレリーズＳＷ４５を半押しすると、カメラ本体ＣＰＵ２１は、オートフォーカス、測光などの撮影準備動作を行う。さらにユーザがレリーズＳＷ４５を全押しすると、カメラ本体ＣＰＵ２１は、静止画、動画の撮影動作を開始する。
【００２６】
図４は、階層構造を有するメニュー項目群を説明する図である。図４は、一例として、カメラシステム１の撮影に関するメニュー項目群を示す。本実施形態において、メニュー項目群のデータはフラッシュＲＯＭ４２に記憶されている。図４に示すとおり、第１階層には、「撮影メニューのリセット」、「画質モード」、「画像サイズ」、「ホワイトバランス」、「ＩＳＯ感度設定」等の項目が含まれる。これらの項目は、項目「撮影メニューのリセット」を開始項目、項目「ＩＳＯ感度設定」を最終項目として、予め定められた順序で並べられている。そして、これらのメニュー項目群は、ページに区分されてフラッシュＲＯＭ４２に管理されている。具体的には、各ページが背面モニタ３３で一度に表示可能な数のメニュー項目で構成されるように、メニュー項目群が開始項目から順にページに区分される。
【００２７】
第１階層の項目「撮影メニューのリセット」に従属する下位項目として「リセット指示」の項目が第２階層に含まれる。同様に、第１階層の項目「画質モード」に従属する下位項目として「画質モード設定」の項目が、第１階層の項目「画像サイズ」に従属する下位項目として「画像サイズ設定」の項目がそれぞれ第２階層に含まれる。
【００２８】
また、第１階層の項目「ホワイトバランス」に従属する下位項目として、「オート」、「電球」、「晴天」、「曇天」、「フラッシュ」等の項目が第２階層に含まれる。これらの項目は、項目「オート」を開始項目、項目「フラッシュ」を最終項目として、予め定められた順序で並べられている。これらのメニュー項目群は、ページに区分されてフラッシュＲＯＭ４２に管理されている。具体的には、各ページが背面モニタ３３で一度に表示可能な数のメニュー項目で構成されるように、メニュー項目群が開始項目から順にページに区分される。
【００２９】
第２階層の項目「オート」に従属する下位項目として「オート：微調整値設定」の項目が第３階層に含まれる。同様に、第２階層の項目「電球」等に従属する下位項目として、「電球：微調整値設定」等の項目が第３階層に含まれる。
【００３０】
さらに、第１階層の項目「ＩＳＯ感度設定」に従属する下位項目として、「ＩＳＯ感度」および「感度自動制御」の項目が第２階層に含まれる。第２階層の項目「ＩＳＯ感度」に従属する下位項目として「感度値設定」の項目が第３階層に含まれる。また、第２階層の項目「感度自動制御」に従属する下位項目として「自動制御設定」の項目が第３階層に含まれる。
【００３１】
図５は、メニュー画面の表示例を説明する図である。なお、本実施形態において、操作スイッチ３４および背面モニタ３３は、それぞれ操作部および表示部として機能する。そして、カメラ本体ＣＰＵ２１は操作スイッチ３４から操作情報を受け付ける受付部として機能する。また、表示制御回路２６は、メニュー画面を背面モニタ３３に表示させる表示制御部として機能する。
【００３２】
図５に示すとおり、表示制御回路２６は、メニュー画面の左端に、それぞれがタブとして分類される再生タブ５１、撮影タブ５２、セットアップタブ５３およびヘルプタブ５４を設ける。再生に関するメニュー項目群は再生タブ５１に纏められており、同様に、撮影に関するメニュー項目群は撮影タブ５２に、カメラシステム１の使用環境に関するメニュー項目群はセットアップタブ５３に纏められている。ヘルプタブ５４には、表示されている項目に関連するヘルプ表示があるときに選択できる説明項目群が纏められている。本実施形態において、図５に示すように、撮影タブ５２が選択されている。
【００３３】
表示制御回路２６は、メニュー画面上部に、タイトル欄５５を設ける。タイトル欄５５には、後述する第１項目欄５６、第２項目欄５７および第３項目欄５８に表示されるメニュー項目を総称するタイトル名が表示される。例えば、第１項目欄５６、第２項目欄５７および第３項目欄５８に表示されるメニュー項目が従属する上位のメニュー項目の名称がタイトル欄５５に表示される。図５のメニュー画面において、撮影に関するメニュー項目群の第１階層に属する「ホワイトバランス」がタイトル欄５５に表示される。
【００３４】
表示制御回路２６は、メニュー画面の中央部に、第１項目欄５６、第２項目欄５７および第３項目欄５８を設ける。表示制御回路２６は、各項目欄に１つのメニュー項目を配置して、複数のメニュー項目をメニュー画面に表示する。また、表示制御回路２６は、ユーザが操作スイッチ３４を操作した場合に、第１項目欄５６、第２項目欄５７および第３項目欄５８に表示するメニュー項目を調整する。図５のメニュー画面において、撮影に関するメニュー項目群の第１階層項目「ホワイトバランス」に属する第２階層項目「電球」、「晴天」および「曇天」が第１項目欄５６、第２項目欄５７および第３項目欄５８にそれぞれ表示される。なお、項目欄の数は、３つに限らず、背面モニタのサイズ等に応じて予め設定される。
【００３５】
表示制御回路２６は、操作スイッチ３４の操作情報に応じて、メニュー画面に表示される複数のメニュー項目のうちいずれかの項目に対してカーソル５９を移動し、当該項目をアクティブにする。図５のメニュー画面において、第１項目欄５６の項目「電球」がカーソル５９で選択されている。
【００３６】
表示制御回路２６は、表示対象階層から、カーソル５９で選択されている対象項目を起点に移動し得る最も下位の階層までの階層数を示す第１表示マーク６１を配置する。具体的には、表示制御回路２６は、フラッシュＲＯＭ４２に記憶されているメニュー項目群のデータを参照して、対象項目を起点に移動し得る最も下位の階層の深さから表示対象階層の深さを引いた値を算出する。そして、表示制御回路２６は、算出した値を示すマークを第１表示マーク６１として配置する。図５のメニュー画面において、（対象項目「電球」を起点に移動し得る最も下位の階層の深さ「３」）−（表示対象階層の深さ「２」）＝「１」を示す１個の右方向の矢印マークを第１表示マーク６１として配置する。なお、本実施形態において、表示対象階層から移動し得る最も下位の階層までの階層数は矢印マークの個数で表される。
【００３７】
表示制御回路２６は、表示対象階層から最も上位の階層までの階層数を示す第２表示マーク６２を配置する。具体的には、表示制御回路２６は、フラッシュＲＯＭ４２に記憶されているメニュー項目群のデータを参照して、表示対象階層の深さから最も上位の階層の深さを引いた値を算出する。そして、表示制御回路２６は、算出した値を示すマークを第２表示マーク６２として配置する。図５のメニュー画面において、（表示対象階層の深さ「２」）−（最も上位の階層の深さ「１」）＝「１」を示す１個の左方向の矢印マークを第２表示マーク６２として配置する。なお、本実施形態において、表示対象階層から最も上位の階層までの階層数は矢印マークの個数で表される。
【００３８】
表示制御回路２６は、第１表示マーク６１および第２表示マーク６２を、カーソル５９で選択されている対象項目の表示に関連付けて配置する。例えば、表示制御回路２６は、第１表示マーク６１および第２表示マーク６２を、対象項目の表示の周辺に配置する。また、表示制御回路２６は、第１表示マーク６１および第２表示マーク６２の背景色を対象項目の背景色と同じにしてもよい。本実施形態において、第１表示マーク６１は対象項目が表示されている項目欄の右側近傍に配置され、第２表示マーク６２は対象項目が表示されている項目欄の左側近傍に配置される。対象項目の表示と関連付けた第１表示マーク６１および第２表示マーク６２により、ユーザはカーソルで選択した項目に対して進み得る階層数および戻り得る階層数を容易に把握できる。
【００３９】
表示制御回路２６は、カーソル５９で選択されている対象項目の表示を基準として、下位の階層へ移動させる第１操作方向に第１表示マーク６１を、上位の階層へ移動させる第２操作方向に第２表示マーク６２を配置する。本実施形態において、操作スイッチ３４の右スイッチで下位の階層への移動が実行されるとともに左スイッチで上位の階層への移動が実行される。そして、第１表示マーク６１は、対象項目の表示を基準として右方向の位置である、対象項目が表示されている項目欄の右側近傍に配置される。また、第２表示マーク６２は、対象項目の表示を基準として左方向の位置である、対象項目が表示されている項目欄の左側近傍に配置される。操作方向と対応付けた第１表示マーク６１および第２表示マーク６２により、ユーザは、第１表示マーク６１が進み得る階層数に対応するとともに第２表示マーク６２が戻り得る階層数に対応することを容易に把握できる。
【００４０】
表示制御回路２６は、操作スイッチ３４の形態に対応した表示形態の第１表示マーク６１および第２表示マーク６２を用いる。本実施形態において、表示制御回路２６は、下位の階層への移動を指示するための右スイッチに対応した右方向の矢印マークを第１表示マーク６１として用いる。また、表示制御回路２６は、上位の階層への移動を指示するための左スイッチに対応した左方向の矢印マークを第２表示マーク６２として用いる。操作スイッチ３４の十字スイッチの形態と対応付けられた第１表示マーク６１および第２表示マーク６２の表示形態により、ユーザは階層間移動を実行するための操作部を容易に判別できる。
【００４１】
表示制御回路２６は、メニュー画面に表示される複数のメニュー項目を基準とした開始項目の位置を示す第３表示マーク６３を配置する。具体的には、表示制御回路２６は、フラッシュＲＯＭ４２に記憶されているメニュー項目群がページ単位で区分されている場合に、当該メニュー項目群のデータを参照して、メニュー画面に表示される複数のメニュー項目を有するページの番号から開始項目を含むページの番号を引いた値を算出する。そして、表示制御回路２６は、算出した値を示すマークを第３表示マーク６３として配置する。図５のメニュー画面において、（項目「電球」、「晴天」および「曇天」のページ番号「２」）−（開始項目「オート」を含むページ番号「１」）＝「１」を示す１個の上方向の矢印マークを第３表示マーク６３として配置する。なお、本実施形態において、複数のメニュー項目を基準とした開始項目の位置は、複数のメニュー項目を有するページから開始項目を含むページまでのページ数を示す矢印マークの個数で表される。
【００４２】
表示制御回路２６は、メニュー画面に表示される複数のメニュー項目を基準とした最終項目の位置を示す第４表示マーク６４を配置する。具体的には、表示制御回路２６は、フラッシュＲＯＭ４２に記憶されているメニュー項目群がページ単位で区分されている場合に、当該メニュー項目群のデータを参照して、最終項目を含むページの番号からメニュー画面に表示される複数のメニュー項目を有するページの番号を引いた値を算出する。そして、表示制御回路２６は、算出した値を示すマークを第４表示マーク６４として配置する。図５のメニュー画面において、（最終項目「フラッシュ」を含むページ番号「４」）−（項目「電球」、「晴天」および「曇天」のページ番号「２」）＝「２」を示す２個の下方向の矢印マークを第４表示マーク６４として配置する。なお、本実施形態において、複数のメニュー項目を基準とした最終項目の位置は、複数のメニュー項目を有するページから最終項目を含むページまでのページ数を示す矢印マークの個数で表される。
【００４３】
表示制御回路２６は、ページ数を用いて開始項目の位置および最終項目の位置を示す代わりに、項目数を用いて開始項目の位置および最終項目の位置を示すようにしてもよい。具体的には、表示制御回路２６は、フラッシュＲＯＭ４２に記憶されているメニュー項目群のデータを参照して、メニュー画面に表示される複数のメニュー項目のうち開始項目に最も近い項目の番号から開始項目の番号を引いた値を算出する。そして、表示制御回路２６は、算出した値を示すマークを第３表示マーク６３として配置する。また、表示制御回路２６は、フラッシュＲＯＭ４２に記憶されているメニュー項目群のデータを参照して、最終項目の番号からメニュー画面に表示される複数のメニュー項目のうち最終項目に最も近い項目の番号を引いた値を算出する。そして、表示制御回路２６は、算出した値を示すマークを第４表示マーク６４として配置する。
【００４４】
表示制御回路２６は、第３表示マーク６３および第４表示マーク６４を、メニュー画面に表示される複数のメニュー項目の表示に関連付けて配置する。例えば、表示制御回路２６は、第３表示マーク６３および第４表示マーク６４を、メニュー画面に表示される複数のメニュー項目の表示の周辺に配置する。また、表示制御回路２６は、第３表示マーク６３および第４表示マーク６４の背景色をメニュー画面に表示される複数のメニュー項目の背景色と同じにしてもよい。本実施形態において、第３表示マーク６３は第１項目欄５６の上側近傍に配置され、第４表示マーク６４は第３項目欄５８の下側近傍に配置される。メニュー画面に表示される複数のメニュー項目の表示と関連付けられた第３表示マーク６３および第４表示マーク６４により、ユーザは表示中のメニュー項目に対する開始項目の位置および最終項目の位置を容易に把握できる。
【００４５】
表示制御回路２６は、メニュー画面に表示される複数のメニュー項目の表示を基準として、開始項目の方向へ移動させる第３操作方向に第３表示マーク６３を、最終項目の方向へ移動させる第４操作方向に第４表示マーク６４を配置する。本実施形態において、操作スイッチ３４の上スイッチで開始項目の方向への移動が実行されるとともに下スイッチで最終項目の方向への移動が実行される。そして、第３表示マーク６３は、メニュー画面に表示される複数のメニュー項目の表示を基準として上方向の位置である、第１項目欄５６の上側近傍に配置される。また、第４表示マーク６４は、メニュー画面に表示される複数のメニュー項目の表示を基準として下方向の位置である、第３項目欄５８の下側近傍に配置される。操作方向と対応付けられた第３表示マーク６３および第４表示マーク６４により、ユーザは、第３表示マーク６３が開始項目の位置に対応するとともに第４表示マーク６４が最終項目の位置に対応することを容易に把握できる。
【００４６】
表示制御回路２６は、操作スイッチ３４の形態に対応した表示形態の第３表示マーク６３および第４表示マーク６４を用いる。本実施形態において、表示制御回路２６は、開始項目の方向である移動上スイッチの形態を表現する上方向の矢印マークを第３表示マーク６３として用いる。また、表示制御回路２６は、最終項目の方向である移動下スイッチの形態を表現する下方向の矢印マークを第４表示マーク６４として用いる。操作スイッチ３４の十字スイッチの形態と対応付けられた第３表示マーク６３および第４表示マーク６４の表示形態により、ユーザは項目間移動を実行するための操作部を容易に判別できる。
【００４７】
図６は、項目間移動におけるメニュー画面の表示例を説明する図である。図６（ａ）は、撮影タブ５２が選択された直後の初期メニュー画面である。図６（ａ）に示すように、初期メニュー画面において、撮影に関するメニュー項目群の第１階層の開始項目「撮影メニューのリセット」から順に３つの項目「撮影メニューのリセット」、「画質モード」および「画像サイズ」が第１項目欄５６、第２項目欄５７および第３項目欄５８にそれぞれ表示される。そして、第１項目欄５６の項目「撮影メニューのリセット」に対してカーソル５９が設定される。本実施形態において、図４に示すように、撮影に関するメニュー項目群の第１階層の項目群は５ページに区分されている。そして、開始項目「撮影メニューのリセット」はページ１に区分されており、最終項目「ＩＳＯ感度設定」はページ５に区分されている。
【００４８】
図６（ａ）に示すように、カーソル５９で選択されている対象項目「撮影メニューのリセット」の表示の右側に１個の右矢印マークが第１表示マーク６１として表示されている。この第１表示マーク６１は、対象項目「撮影メニューのリセット」を起点に移動し得る下位の階層が１つ存在することを示す。また、図６（ａ）に示すように、第３項目欄５８の下側近傍に４個の下方向の矢印マークが第４表示マーク６４として表示されている。この第４表示マーク６４は、項目「撮影メニューのリセット」、「画質モード」および「画像サイズ」を含む表示中のページから最終項目「ＩＳＯ感度設定」を含むページまで４ページが存在していることを示す。
【００４９】
ユーザは、操作スイッチ３４の上下スイッチを操作してカーソル５９を同一階層のメニュー項目間で移動させる。カメラ本体ＣＰＵ２１は、操作スイッチ３４から操作情報を受け付ける。表示制御回路２６は、カメラ本体ＣＰＵ２１が受け付けた操作情報に基づいて、背面モニタ３３のメニュー画面を更新する。
【００５０】
図６（ｂ）は、ユーザが撮影に関するメニュー項目群の第１階層の項目「ホワイトバランス」をカーソルで選択した場合のメニュー画面である。本実施形態において、項目「ホワイトバランス」はページ２に区分されている。図６（ｂ）のメニュー画面は、ユーザが図６（ａ）に示される初期メニュー画面で操作スイッチ３４の下スイッチを操作してページ２へ進み、第２項目欄５７に表示される項目「ホワイトバランス」をカーソル５９で選択した画面である。
【００５１】
図６（ｂ）に示すように、カーソル５９で選択されている対象項目「ホワイトバランス」の表示の右側に２個の右矢印マークが第１表示マーク６１として表示されている。この第１表示マーク６１は、対象項目「ホワイトバランス」を起点に移動し得る下位の階層が２つ存在することを示す。また、図６（ｂ）に示すように、第１項目欄５６の上側近傍に１個の上方向の矢印マークが第３表示マーク６３として表示されている。この第３表示マーク６３は、項目「ホワイトバランス」を含む表示中のページを起点に開始項目「撮影メニューのリセット」の方向に移動し得るページが１つ存在することを示す。さらに、図６（ｂ）に示すように、第３項目欄５８の下側近傍に３個の下方向の矢印マークが第４表示マーク６４として表示されている。この第４表示マーク６４は、項目「ホワイトバランス」を含む表示中のページを起点に最終項目「ＩＳＯ感度設定」の方向に移動し得るページが３つ存在することを示す。
【００５２】
図６（ｃ）は、ユーザが撮影に関するメニュー項目群の第１階層の最終項目である「ＩＳＯ感度設定」をカーソルで選択した場合のメニュー画面である。図６（ｃ）のメニュー画面は、ユーザが図６（ｂ）に示されるメニュー画面で操作スイッチ３４の下スイッチを操作してページ５へ進み、第２項目欄５７に表示される項目「ＩＳＯ感度設定」をカーソルで選択した画面である。
【００５３】
図６（ｃ）に示すように、カーソル５９で選択されている対象項目「ＩＳＯ感度設定」の表示の右側に１個の右矢印マークが第１表示マーク６１として表示されている。この第１表示マーク６１は、対象項目「ＩＳＯ感度設定」を起点に移動し得る下位の階層が１つ存在することを示す。また、図６（ｃ）に示すように、第１項目欄５６の上側近傍に４個の上方向の矢印マークが第３表示マーク６３として表示されている。この第３表示マーク６３は、項目「ＩＳＯ感度設定」を含む表示中のページを起点に開始項目「撮影メニューのリセット」の方向に移動し得るページが４つ存在することを示す。
【００５４】
さらに、図６（ｃ）に示すように、第３項目欄５８の下側近傍に黒丸マークが第４表示マーク６４として表示されている。この第４表示マーク６４は、項目「ＩＳＯ感度設定」を含む表示中のページが最終ページであることを示す。
【００５５】
図６（ｃ）に示される第４表示マーク６４により、ユーザは項目「ＩＳＯ感度設定」が最終項目であることを容易に把握できる。なお、図６（ｃ）のメニュー画面において、操作スイッチ３４の下スイッチが操作されて最終項目「ＩＳＯ感度設定」の次のメニュー項目が選択された場合に、表示制御回路２６は、図６（ａ）に示されるページ１のメニュー画面に遷移して、開始項目「撮影メニューのリセット」にカーソル５９を移動させる。
【００５６】
図７は、階層間移動におけるメニュー画面の第２の表示例を説明する図である。図７（ａ）は、上述の図６（ｂ）と同じメニュー画面である。ユーザは、操作スイッチ３４の左右スイッチまたはＯＫスイッチを操作してカーソル５９を階層間で移動させる。カメラ本体ＣＰＵ２１は、操作スイッチ３４から操作情報を受け付ける。表示制御回路２６は、カメラ本体ＣＰＵ２１が受け付けた操作情報に応じて、背面モニタ３３のメニュー画面を更新する。図７（ａ）のメニュー画面において、ユーザは操作スイッチ３４の右スイッチまたはＯＫボタンを操作して、カーソルで選択されている項目「ホワイトバランス」を指定する。
【００５７】
図７（ｂ）は、ユーザが項目「ホワイトバランス」を指定し、その後操作スイッチ３４の下スイッチを操作してページ２の項目「電球」をカーソル５９で選択したメニュー画面である。まず、表示制御回路２６は、項目「ホワイトバランス」の指定の操作情報に応じて、項目「ホワイトバランス」に従属する第２階層のメニュー項目群「オート」等をフラッシュＲＯＭ４２から取得する。次に、図７（ｂ）に示すとおり、表示制御回路２６は、タイトル欄５５を「ホワイトバランス」に変更する。
【００５８】
そして、表示制御回路２６は、ユーザの操作スイッチ３４の下スイッチに応じて項目間移動を実行し、図７（ｂ）に示すとおり、項目「電球」、「晴天」および「曇天」を第１項目欄５６、第２項目欄５７および第３項目欄５８にそれぞれに配置する。また、表示制御回路２６は、第１項目欄５６の項目「電球」をカーソル５９で選択する。図４に示すとおり、本実施形態において、第１階層項目「ホワイトバランス」に従属する第２階層の項目群は４ページに区分されている。そして、開始項目「オート」はページ１に区分されており、最終項目「フラッシュ」はページ４に区分されている。
【００５９】
図７（ｂ）に示すように、カーソル５９で選択されている対象項目「電球」の表示の右側に１個の右矢印マークが第１表示マーク６１として表示されている。この第１表示マーク６１は、対象項目「電球」を起点に移動し得る下位の階層が１つ存在することを示す。また、図７（ｂ）に示すように、カーソル５９で選択されている対象項目「電球」の表示の左側に１個の左矢印マークが第２表示マーク６２として表示されている。この第２表示マーク６２は、対象項目「電球」を起点に移動し得る上位の階層が１つ存在することを示す。
【００６０】
さらに、図７（ｂ）に示すように、第１項目欄５６の上側近傍に１個の上方向の矢印マークが第３表示マーク６３として表示されている。この第３表示マーク６３は、項目「電球」を含む表示中のページを起点に開始項目「オート」の方向に移動し得るページが１つ存在することを示す。また、図７（ｂ）に示すように、第３項目欄５８の下側近傍に１個の下方向の矢印マークが第４表示マーク６４として表示されている。この第４表示マーク６４は、項目「電球」を含む表示中のページを起点に最終項目「フラッシュ」の方向に移動し得るページが３つ存在することを示す。
【００６１】
図７（ｂ）に示されるメニュー画面において、ユーザが操作スイッチ３４の右スイッチまたはＯＫボタンを操作して、カーソル５９がセットされている項目「電球」を指定する。図７（ｃ）は、ユーザが項目「電球」を指定した場合の「電球：微調整値設定」の画面である。まず、表示制御回路２６は、項目「電球」の指定の操作情報に応じて、項目「電球」に従属する第３階層のメニュー項目「電球：微調整値設定」の画面を構成するための情報をフラッシュＲＯＭ４２から取得する。次に、図７（ｃ）に示すとおり、表示制御回路２６は、項目「電球：微調整値設定」を配置した１つの項目欄７１を設定するともに、項目「電球：微調整値設定」をカーソル５９で選択してアクティブ状態にする。
【００６２】
図７（ｃ）に示すように、カーソル５９で選択されている対象項目「電球：微調整値設定」の表示の右側に黒丸マークが第１表示マーク６１として表示されている。この第１表示マーク６１は、項目「電球：微調整値設定」を含む表示対象階層が最下位階層であることを示す。
【００６３】
図７（ｃ）に示される第１表示マーク６１により、ユーザは項目「電球：微調整値設定」が最下位階層であることを容易に把握できる。なお、図７（ｃ）のメニュー画面において、操作スイッチ３４の右スイッチが操作されて項目「電球：微調整値設定」の下位の階層への移動が指示された場合に、表示制御回路２６は、図７（ａ）に示される第１階層のメニュー画面に遷移して、項目「ホワイトバランス」にカーソル５９を移動させる。
【００６４】
また、図７（ｂ）に示すように、カーソル５９で選択されている対象項目「電球：微調整値設定」の表示の左側に２個の左矢印マークが第２表示マーク６２として表示されている。この第２表示マーク６２は、対象項目「電球：微調整値設定」を起点に移動し得る上位の階層が２つ存在することを示す。さらに、項目欄７１の下側に、非アクティブ状態の微調整値入力グリッド７２が表示される。
【００６５】
図７（ｃ）に示される画面において、ユーザが操作スイッチ３４の下スイッチを操作した場合に、表示制御回路２６は、項目「電球：微調整値設定」を非アクティブ状態にするとともに、微調整値入力グリッド７２をアクティブ状態にする。図７（ｄ）は、微調整値入力グリッド７２をアクティブにした場合の「オート：微調整値設定」の画面である。表示制御回路２６は、第１表示マークである黒丸マークおよび第２表示マークである左方向の矢印マークの表示形態を半透明に変更する。ユーザは、図７（ｄ）に示される画面において、操作スイッチ３４の上下左右スイッチを操作して、オート時の微調整値を設定することができる。
【００６６】
上述のように、本実施形態においては、階層間の移動処理を実行する場合の第１表示マーク６１および第２表示マーク６２の表示形態と、設定処理を実行する場合の第１表示マーク６１および第２表示マーク６２の表示形態とを異ならせる。ユーザはこれらの表示マークを視認したときに、階層間の移動処理と設定処理のどちらを実行できるのかを容易に判別できる。
【００６７】
図８は、メニュー画面の他の表示例を示す図である。図８（ａ）に示すように、表示制御回路２６は、アクティブにされているか否かに関係なく、メニュー画面に表示される各メニュー項目に対して第１表示マーク６１および第２表示マーク６２を付与するようにしてもよい。ユーザは、メニュー画面の各メニュー項目について進み得る階層数および戻り得る階層数の双方を容易に把握できる。
【００６８】
また、図８（ｂ）に示すように、表示制御回路２６は、第１階層のメニュー画面において、操作スイッチ３４の左スイッチの操作でタブ選択に移行できる旨を示す左向きの移行マーク８０を撮影タブ５２の右側に表示してもよい。移行マーク８０は、第２表示マーク６２と区別可能な表示形態で表示される。移行マーク８０により、ユーザは、操作スイッチ３４の左スイッチでタブ選択の移行を実行できるか否かを容易に判別できる。
【００６９】
また、図８（ｃ）に示すように、表示制御回路２６は、階層数を示す数字で第１表示マーク６１および第２表示マーク６２を表し、ページ数を示す数字で第３表示マーク６３および第４表示マーク６４を表してもよい。ユーザは、階層数およびページ数を数字により瞬時に判断できる。また、表示制御回路２６は、矢印マークと数字のマークを併用してもよい。具体的には、表示制御回路２６は、階層数またはページ数が３以下であれば矢印マークを用い、４以上であれば数字のマークを用いる。
【００７０】
また、カメラシステム１が十字キーの代わりに回転ダイヤルを備える場合、表示制御回路２６は、回転ダイヤルの回転に応じて項目間移動を実行する。回転ダイヤルの回転に応じて項目間移動を実行する場合に、表示制御回路２６は、時計回りを示すマークまたは反時計回りを示すマークを第３表示マーク６３または第４表示マーク６４として用いてもよい。回転スイッチの反時計回りで開始項目の方向への移動が実行されるとともに回転スイッチの時計回りで最終項目の方向への移動が実行される場合に、図８（ｄ）に示すように、表示制御回路２６は、反時計回りを示すマークを第３表示マーク６３として用いるとともに、時計回りを示すマークを第４表示マーク６４として用いる。回転ダイヤルの形態と対応付けられた第３表示マーク６３および第４表示マーク６４により、ユーザは項目間移動を実行するための操作部を容易に判別できる。
【００７１】
図９は、メニュー画面の表示処理を示すフロー図である。本フローは、例えば図７で説明した表示の推移に対応する制御フローである。まず、表示制御回路２６は、タブ選択用のメニュー画面を背面モニタ３３に表示させる。そして、表示制御回路２６は、再生タブ５１、撮影タブ５２およびセットアップタブ５３のいずれかが選択された場合に、本実施形態のメニュー画面の表示処理フローを開始する。
【００７２】
ステップＳ１０１において、表示制御回路２６は、初期メニュー画面を背面モニタ３３に表示させる。具体的には、まず、表示制御回路２６は、選択されたタブの機能に関するメニュー項目群のうち第１階層の項目群の情報をフラッシュＲＯＭ４２から取得する。次に、表示制御回路２６は、第１階層の項目群のうち開始項目から順にメニュー画面の項目欄の数と同じ数のメニュー項目を抽出し、抽出したメニュー項目を配列する。そして、表示制御回路２６は、開始項目の一つをアクティブにして初期メニュー画面として調整し、背面モニタ３３に表示する。
【００７３】
ステップＳ１０２では、表示制御回路２６は、ユーザによる操作スイッチ３４の指示が項目間移動の指示であるか否かを判断する。項目間移動の指示であると判断した場合には、ステップＳ１０５へ移行する。一方、項目間移動の指示でないと判断した場合には、ステップＳ１０３へ移行する。
【００７４】
ステップＳ１０３では、表示制御回路２６は、表示制御回路２６は、ユーザによる操作スイッチ３４の指示が階層間移動の指示であるか否かを判断する。階層間移動の指示であると判断した場合には、ステップＳ１０４へ移行する。一方、階層間移動の指示でないと判断した場合には、ステップＳ１０９へ移行する。
【００７５】
ステップＳ１０４では、表示制御回路２６は、表示対象階層の項目群を取得する。具体的には、表示制御回路２６は、背面モニタ３３に現在表示されている項目の階層の１つ下位の階層を新たな表示対象階層として設定し、指定されたメニュー項目に従属する表示対象階層の項目群をフラッシュＲＯＭ４２から取得する。上位の階層への移動の場合には、１つ上位の階層を新たな表示対象階層として設定する。
【００７６】
ステップＳ１０５では、表示制御回路２６は、アクティブとする対象項目を設定すると共に、同一階層の同一ページに表示する表示項目を設定する。続いて、ステップＳ１０６では、表示制御回路２６は、ステップＳ１０５で設定した対象項目に対して表示対象階層から移動し得る最も下位の階層までの階層数および表示対象階層から最も上位の階層までの階層数を、上述の通り計算する。ステップＳ１０７へ進み、表示制御回路２６は、ステップＳ１０５で設定した対象項目を含む表示すべき項目を基準とした開始項目の位置および最終項目の位置を、上述の計算方法に従って計算する。
【００７７】
そして、表示制御回路２６は、ステップＳ１０８において、ステップＳ１０５で設定した対象項目および表示すべき項目、並びに、ステップＳ１０６およびステップＳ１０７の計算結果を用いて、背面モニタ３３に表示されているメニュー画面を更新する。
【００７８】
ステップＳ１０９において、表示制御回路２６は、ユーザによる操作スイッチ３４の指示が項目間移動および階層間移動の指示以外の他の処理の指示であるか否かを判断する。表示制御回路２６は、他の処理の指示でないと判断した場合には、ステップＳ１０２へ戻り、他の処理であると判断した場合には、一連の処理を終了する。
【００７９】
上記実施形態において、操作部として操作スイッチ３４を用いたがこれに限らない。例えば、背面モニタ３３は、操作部としてタッチパネルを有してもよい。ユーザが背面モニタ３３のメニュー項目等を視認しつつタッチパネルを操作したときには、その座標とその座標に対応して表示されていたメニュー項目をカメラ本体ＣＰＵ２１へ出力する。そして、表示制御回路２６は、カメラ本体ＣＰＵ２１からタッチパネルの操作情報を取得し、上述のメニュー画面の表示処理を実行する。
【００８０】
タッチパネルを操作部として用いた場合において、表示制御回路２６は、第１表示マーク６１の表示位置におけるタッチパネルへの操作を表示対象階層から１つ下位の階層へ移動させる操作と判断してもよい。同様に、表示制御回路２６は、第２表示マーク６２の表示位置におけるタッチパネルへの操作を表示対象階層から１つ上位の階層へ移動させる操作と判断してもよい。
【００８１】
さらに、表示制御回路２６は、第３表示マーク６３の表示位置におけるタッチパネルへの操作を、表示中の複数のメニュー項目より開始項目の側にある１以上の項目を表示させる操作と判断してもよい。例えば、表示制御回路２６は、第３表示マーク６３の表示位置におけるタッチパネルへの操作を、表示中の複数のメニュー項目より開始項目の側にある項目を順に１つずつスクロール表示させる操作と判断する。また、メニュー項目群がページで区分されている場合には、表示制御回路２６は、第３表示マーク６３の表示位置におけるタッチパネルへの操作をメニュー画面に表示中のページから１つ前のページのメニュー項目を表示させる操作と判断してもよい。
【００８２】
また、表示制御回路２６は、第４表示マーク６４の表示位置におけるタッチパネルへの操作を、表示中の複数のメニュー項目より最終項目の側にある１以上の項目を表示させる操作と判断してもよい。例えば、表示制御回路２６は、第４表示マーク６４の表示位置におけるタッチパネルへの操作を、表示中の複数のメニュー項目より最終項目の側にある項目を順に１つずつスクロール表示させる操作と判断する。また、メニュー項目群がページで区分されている場合には、表示制御回路２６は、第４表示マーク６４の表示位置におけるタッチパネルへの操作をメニュー画面に表示中のページから次のページのメニュー項目を表示させる操作と判断してもよい。
【００８３】
また、上記実施例において、表示制御回路２６は、対象項目を起点に移動し得る最も下位の階層の深さから表示対象階層の深さを引いた値を算出したがこれに限らない。例えば、予めフラッシュＲＯＭ４２に、各項目において対象項目を起点に移動し得る最も下位の階層の深さから表示対象階層の深さを記憶しておき、記録されている値を読み出して画面に表示するようにしてもよい。同様に、メニュー画面に表示される複数のメニュー項目のうち開始項目に最も近い項目の番号から開始項目の番号を引いた値を算出したがこれに限らない。予めフラッシュＲＯＭ４２に、各項目において開始項目の位置および最終項目の位置を記憶しておき、記録されている値を読み出して画面に表示するようにしてもよい。
【００８４】
また、上記実施形態において、電子機器であるカメラシステム１が、操作部である操作スイッチ３４、表示部である背面モニタ３３、受付部であるカメラ本体ＣＰＵ２１および表示制御部である表示制御回路２６をすべて備えているがこれに限らない。例えば、電子機器は操作部および受付部を備える。そして、電子機器は、操作部および表示部を備える他の装置と有線または無線で通信し、上述のメニュー画面を他の装置の表示部に表示させるようにしてもよい。
【００８５】
また、上記実施形態においては、レンズ交換式一眼レフカメラであるカメラシステム１を電子機器の例として説明したが、当然カメラシステム１への適用に限らない。コンパクトデジタルカメラ、ミラーレス一眼カメラおよびビデオカメラはもちろん、メニュー画面を用いる携帯電話、ナビゲーションシステム、ゲーム機器、冷蔵庫、電子レンジ、銀行AＡＴＭ等の電子機器であれば、上述の概念はいずれも適用できる。
【００８６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８８】
１  カメラシステム、２  カメラ本体、３  撮影レンズ、４  レンズ群、５  絞り、６  角速度センサ、７  レンズＣＰＵ、１１  ファインダー光学系、１２  撮像素子、１３  メインミラー、１４  焦点検出センサ、１５  サブミラー、１６  焦点板、１７  ペンタプリズム、１８  測光センサ、１９  ローパスフィルタ、２０  基板、２１  カメラ本体ＣＰＵ、２２  駆動回路、２３  Ａ／Ｄ変換回路、２４  画像処理制御回路、２５  コントラストＡＦ回路、２６  表示制御回路、３１  マイク、３２  スピーカ、３３  背面モニタ、３４  操作スイッチ、４１  画像記録媒体、４２  フラッシュＲＯＭ、４３  ＲＡＭ、４４  傾斜センサ、４５  レリーズＳＷ、５１  再生タブ、５２  撮影タブ、５３  セットアップタブ、５４  ヘルプタブ、５５  タイトル欄、５６  第１項目欄、５７  第２項目欄、５８  第３項目欄、５９  カーソル、６１  第１表示マーク、６２  第２表示マーク、６３  第３表示マーク、６４  第４表示マーク、７１  項目欄、７２  微調整値入力グリッド、８０  移行マーク
【図１】
2012256237.tif 000003
【図２】
2012256237.tif 000004
【図３】
2012256237.tif 000005
【図４】
2012256237.tif 000006
【図５】
2012256237.tif 000007
【図６】
2012256237.tif 000008
【図７】
2012256237.tif 000009
【図８】
2012256237.tif 000010
【図９】
2012256237.tif 000011